【手続補正書】
【提出日】平成28年2月26日(2016.2.26)
【手続補正１】
【補正対象書類名】特許請求の範囲
【補正対象項目名】全文
【補正方法】変更
【補正の内容】
【特許請求の範囲】
【請求項１】
液体容器への液体充填方法であって、
第１液体容器に液体を充填する第１充填ステップと、
異物を除去可能なフィルターの上流側に前記第１液体容器が接続され、かつ前記フィルターの下流側に前記第１液体容器が接続された状態で、前記第１液体容器に充填された前記液体を、異物を除去可能なフィルターを介して第２液体容器に充填する第2充填ステップと、
前記フィルターの前記上流側に前記第２液体容器が接続され、かつ前記フィルターの前記下流側に前記第１液体容器が接続された状態で、前記第２液体容器に充填された前記液体を、前記フィルターを介して前記第１液体容器に充填する第３充填ステップと、を有することを特徴とする液体充填方法。
【請求項２】
前記第３充填ステップにおいて、前記フィルターの前記上流側に前記第２液体容器を接続し、前記フィルターの前記下流側に前記第１液体容器を接続して、前記第２液体容器に充填された前記液体を、前記フィルターを介して前記第１液体容器に充填することを特徴とする請求項１に記載の液体充填方法。
【請求項３】
前記第2充填ステップにおいて、前記液体は、前記第１液体容器と前記フィルターの上流側とを接続する迂回経路を経由し、前記フィルターの上流側から前記フィルターを通過して前記第２液体容器に充填され、
前記第３充填ステップにおいて、前記第２液体容器に充填された前記液体は、前記第２液体容器と前記フィルターの上流側とを接続する迂回経路を経由し、前記フィルターの上流側から前記フィルターを通過して前記第１液体容器に充填されることを特徴とする請求項１に記載の液体充填方法。
【請求項４】
前記第１液体容器及び前記第２液体容器は、前記液体を収容する可撓性の液体収容袋と、前記液体収容袋の内部と外部とを連通させる連通部とを有し、
前記第１液体容器または前記第２液体容器のうち一方の液体容器に充填された前記液体を、他方の前記液体容器に充填する場合には、前記液体収容袋に外部から圧力を加えて、前記液体収容袋から前記連通部を経て前記液体を排出することを特徴とする請求項１乃至３のいずれか一項に記載の液体充填方法。
【請求項５】
液体容器への液体充填装置であって、
液体の供給経路と、
前記供給経路に設けられ、第１液体容器あるいは第２液体容器を接続可能である第１接続部と、
前記供給経路に設けられている第１バルブと
前記供給経路の前記第１接続部と前記バルブとの間に設けられている、異物を除去可能なフィルターと、
前記供給経路の前記第１バルブと前記フィルターとの間に接続され、第１液体容器あるいは第２液体容器を接続可能である第２接続部と、
前記供給経路の、前記第１接続部と前記フィルターとの間に設けられている第２バルブと、を備えることを特徴とする液体充填装置。
【請求項６】
前記第１液体容器及び前記第２液体容器は、
前記液体を収容する可撓性の液体収容袋と、
前記液体収容袋の内部と外部とを連通させる連通部と、を有し、
前記液体収容袋に外部から圧力を加えて、前記液体収容袋から前記連通部を経て前記液体を排出させる加圧装置を有することを特徴とする請求項５に記載の液体充填装置。
【請求項７】
前記第１液体容器を前記第１接続部に接続し、かつ前記第２液体容器を前記第２接続部に接続した状態で、前記加圧装置を用いることにより、前記第１液体容器に充填された前記液体を、前記第２バルブ及び前記フィルターを経由して、前記第２液体容器に充填可能であることを特徴とする請求項６に記載の液体充填装置。
【請求項８】
前記第２液体容器を前記第１接続部に接続し、かつ前記第１液体容器を前記第２接続部に接続した状態で、前記加圧装置を用いることにより、前記第２液体容器に充填された前記液体を、前記第２バルブ及び前記フィルターを経由して前記第１液体容器に充填可能であることを特徴とする請求項６または７に記載の液体充填装置。
【請求項９】
液体容器への液体充填装置であって、
液体の第１供給経路と、
前記第１供給経路に設けられ、第１液体容器を接続可能である第１接続部と、
前記第１供給経路に設けられている第１バルブと、
前記第１供給経路の前記第１接続部と前記第１バルブとの間に設けられている、異物を除去可能なフィルターと、
前記第１供給経路の前記第１接続部と前記フィルターとの間に設けられている第２バルブと、
前記第１供給経路の前記第２バルブと前記フィルターとの間に接続されている第２供給経路と、
前記第２供給経路に設けられ、第２液体容器を接続可能である第２接続部と、
前記第２供給経路の前記第１供給経路と前記第２接続部との間に設けられている第３バルブと、
前記第１供給経路の前記第１バルブと前記フィルターとの間と、前記第１接続部と、を接続する第１迂回供給経路と、
前記第１迂回供給経路に設けられている第４バルブと、
前記第１供給経路の前記第１バルブと前記フィルターとの間と、前記第２接続部と、を接続する第２迂回供給経路と、
前記第２迂回供給経路に設けられている第５バルブと、を備えることを特徴とする液体充填装置。
【請求項１０】
前記第１液体容器及び前記第２液体容器は、前記液体を収容する可撓性の液体収容袋と、前記液体収容袋の内部と外部とを連通させる連通部と、を有し、
前記液体収容袋に外部から圧力を加えて、前記液体収容袋から前記連通部を経て前記液体を排出させる加圧装置を有することを特徴とする請求項９に記載の液体充填装置。
【請求項１１】
前記第１接続部に前記第１液体容器が接続され、前記第１バルブおよび前記第２バルブが開かれ、前記第３バルブと前記第４バルブと前記第５バルブが閉じた状態で前記加圧装置を用いることで、前記液体を、前記第１供給経路、前記フィルター、前記第１バルブ、および前記第２バルブを経由して、前記第１液体容器に充填可能であることを特徴とする請求項１０に記載の液体充填装置。
【請求項１２】
前記第１接続部に前記第１液体容器が接続され、前記第２接続部に前記第２液体容器が接続され、前記第３バルブおよび前記第４バルブが開かれ、かつ前記第１バルブ、前記第２バルブ、および前記第５バルブが閉じた状態で前記加圧装置を用いることで、前記第１液体容器に充填された前記液体を、前記第１迂回供給経路、前記フィルター、前記第３バルブ、および前記第４バルブを経由して、前記第２液体容器に充填可能であることを特徴とする請求項１０または１１に記載の液体充填装置。
【請求項１３】
前記第１接続部に前記第１液体容器が接続され、前記第２接続部に前記第２液体容器が接続され、前記第２バルブおよび前記第５バルブが開かれ、かつ前記第１バルブ、前記第３バルブ、および前記第４バルブが閉じた状態で、前記加圧装置を用いることで、前記第２液体容器に充填された前記液体を、前記第２迂回供給経路、前記フィルター、前記第２バルブ、および前記第５バルブを経由して、前記第1液体容器に充填可能であることを特徴とする請求項１０乃至１２のいずれか一項に記載の液体充填装置。
【請求項１４】
前記第２接続部に前記第２液体容器が接続され、前記第１バルブおよび前記第３バルブが開かれ、かつ前記第２バルブ、前記第４バルブ、および前記第５バルブが閉じた状態で、前記加圧装置を用いることで、前記フィルターと前記第１バルブ、および前記第３バルブを経由して、前記第２液体容器に液体を充填可能であることを特徴とする請求項１０乃至１３のいずれか一項に記載の液体充填装置。
【請求項１５】
前記フィルターは、前記液体に含まれた気泡を排出可能であることを特徴とする請求項
５乃至１４のいずれか一項に記載の液体充填装置。